(57)【特許請求の範囲】
【請求項１】
インキを収容した容器と、該容器の上面を被装する蓋部材とからなる印褥具において、
前記蓋部材は蓋体と該蓋体上面及び側面に被着されるエラストマー製のカバー体とよりなり、該カバー体の一部が前記蓋部材の一番下に位置する面の少なくとも一部をなすことを特徴とする印褥具。
【発明の詳細な説明】
【技術分野】
【０００１】
本発明は、印判の印面にインキを付着させる朱肉やスタンプ台等の印褥具に関し、蓋部材上面にエラストマー製のカバー体を設けた印褥具を提供するものである。
【背景技術】
【０００２】
書類等に常に鮮明な印影を捺すために捺印用マットや敷物を使用するが、捺すたびにそのマット等を探すことが煩わしいため、上蓋の上面に弾力性を有する敷板を設け捺印する際この敷板を使用する朱肉入れ（特許文献１）が開示されている。
【特許文献１】実開昭５５−１１８７６１号
【発明の開示】
【発明が解決しようとする課題】
【０００３】
しかし特許文献１に開示されている発明は、比較的小ぶりの上蓋を敷板に使用するため書類等に隠れて元来動きやすい上、上蓋縁部の底面に配慮がないため卓上で滑りやすい。そのため、上蓋縁部の底面が横滑りしない抵抗感のある卓上を探すか、または止むを得ず平滑な卓上で使用する際は横滑りしないように注意して捺印する必要が生じていた。
【課題を解決するための手段】
【０００４】
上記の課題を解決するために完成された本発明は、インキを収容した容器と、該容器の上面を被装する蓋部材とからなる印褥具において、前記蓋部材は蓋体と該蓋体上面及び側面に被着されるエラストマー製のカバー体とよりなり、該カバー体の一部が前記蓋部材の一番下に位置する面の少なくとも一部をなすことを特徴とする印褥具である。
【発明の効果】
【０００５】
本発明は、エラストマー製のカバー体の一部が蓋部材底面の少なくとも一部を形成しているため、蓋部材の底面は卓上で滑りにくい。そのため、抵抗感のある卓上をわざわざ探す必要はないし、また平坦な卓上で使用する際も蓋部材の横滑りに過度に注意する必要がなくなる。
【発明を実施するための最良の形態】
【０００６】
以下に、本発明の印褥具にかかる実施例について、図１、図２を参照しながら具体的に説明する。
容器１は、ポリブチレン-テレフタレート（ＰＢＴ）樹脂、ＡＢＳ樹脂、ポリエチレン、ポリプロピレン等の合成樹脂製であり、その形状は上面が開口した略箱型である。
容器１には、もぐさ等の天然繊維を混練した所謂練り朱肉インキや、インキを含浸したインキ吸蔵体２が収容できる。
【０００７】
インキ吸蔵体２の材質は、インキを含浸保持出来るものであればどんなものでもよいが、例えばクッション材とタンクフェルトを積層し刺し加工により一体品としたものを挙げることができる。クッション材の材質としては、発泡ポリエチレンや発泡ポリスチレン等を、タンクフェルトの材質としては、羊毛等の天然繊維・合成繊維（ポリエステル、ポリアミド、アクリル等）等を挙げることができる。
そして前記インキ吸蔵体２を容器１に収容し、その上方から綿布等の表布（図示しない）を被せた状態で、プラスチック製の枠体３を容器１に上方から嵌着する。この際、インキ吸蔵体２と表布との間に調節体を介在させてもよい。
【０００８】
容器１の上面に蓋部材４を着脱自在に被装する。ここで被装とは被せるように取り付けることを意味し、このように取り付けられるものであれば、ねじ込んで取り付けられても、嵌めて取り付けられてもよい。
【０００９】
蓋部材４は蓋体４１とカバー体４２とからなる。
蓋体４１は容器１と同様、ポリブチレン-テレフタレート（ＰＢＴ）樹脂、ＡＢＳ樹脂、ポリエチレン、ポリプロピレン等の合成樹脂を採用可能である。
カバー体４２はエラストマー製である。ここでエラストマーとは、常温付近でゴム状弾性を有するものの総称で、架橋した天然ゴム、スチレンーブタジエン共重合体・アクリロニトリルーブタジエン共重合体・クロロプレンゴム・シリコーンゴム・エチレンープロピレンージエンゴム等の合成ゴムのほか、ポリエチレン・ポリイソブチレン等の熱可塑性ポリオレフィン（ＴＰＯ）、熱可塑性ポリウレタン（ＴＰＵ）、熱可塑性ポリスチレン（ＳＢＳ）、アクリル系熱可塑性樹脂等を採用可能である。
【００１０】
蓋部材４は、蓋体４１の上面にカバー体４２を被着して構成される。ここで被着とは被せるようにして付けることを意味し、このように付けられるものであれば、嵌めて付けても、接着して付けてもよい。
【００１１】
嵌めて付ける場合は、例えば図２に示すように蓋体４１外周に設けた段部４１ａと（図２−Ｂ参照）、カバー体４２底面内周に設けたフランジ４２ａと（図２−Ａ参照）を係合させ、蓋体４１の上面からカバー体４２を被せるようにして取り付けることができる（図２−Ｃ参照）。
この際蓋体４１とカバー体４２とを脱着可能に構成することも可能であり、そのような構成にした場合、例えばカバー体４２を透明にし、お気に入りの写真・絵・印刷物を蓋体４１とカバー体４２との間に挟みこんで使用すると自分だけのオリジナル印褥具とすることができる。また、切手・印紙等を蓋体４１とカバー体４２との間に挟みこんで使用すると収納スペースにもなる。
【００１２】
また、接着して付ける場合は、蓋体４１の外周面とカバー体４２の内周面を接着剤で貼り付けて、蓋体４１の上面からカバー体４２を被せるようにして取り付けてもよいし、二色成形やインサート成形によって蓋体４１の上面からカバー体４２を被せるようにして一体成形してもよい。
【００１３】
そしてこのとき、カバー体４２の一部が蓋部材底面の少なくとも一部を形成するように被着する。これは蓋部材４の底面を卓上に置いたとき、カバー体４２の一部が少なくとも卓上に接触することを意味する。
そしてこの際、カバー体４２の一部が蓋部材底面の全部を形成するようにしても当然よい。このように形成する場合、カバー体４２が蓋体４１全体を覆うようにして形成してもよいし、カバー体４２が蓋体４１の上面・側面・底面を覆うようにして形成してもよい。
尚、本発明において底面とは、各部材において一番下に位置する面をいう。
【００１４】
本実施例は以上のような構成であり、次にその作用について詳細に説明する。
本発明の印褥具を使用する際は、印褥具から蓋部材４を外し蓋部材の底面を卓上に置く。そして蓋部材４の上面に書類を載置し、印判にインキを付着させ捺印する。その際蓋部材上面に形成したエラストマー製のカバー体４２が捺印用マットや敷物の替わりとなり、従来通りそれらを探す手間が省けるとともに、本発明の印褥具は前記蓋部材底面の一部にもカバー体４２が形成されているため蓋部材４が卓上で横滑りしにくい。よって蓋部材４を過度に押さえつける必要がなく使用に際し極めて有益である。
【００１５】
以上、現時点において最も実践的でありかつ好ましいと思われる実施形態に関連して本発明を説明したが、本発明は本願明細書中に開示された実施形態に限定されるものではなく、請求の範囲および明細書全体から読み取れる発明の要旨あるいは思想に反しない範囲で適宜変更可能であり、そのような変更を伴う印褥具もまた技術的範囲に包含されるものとして理解されなければならない。 
【図面の簡単な説明】
【００１６】
【図１】本発明印褥具の断面図
【図２】蓋体とカバー体の取り付け方を示す断面図
【符号の説明】
【００１７】
１    容器
２    インキ吸蔵体
３    枠体
４    蓋部材
４１  蓋体
４１ａ段部
４２  カバー体
４２ａフランジ
【図１】
0005861498.tif 000002
【図２】
0005861498.tif 000003